(57)【要約】【課題】ハードディスクからの発熱を効果的に放熱する録画再生装置を提案する【解決手段】ハードディスク１０は、熱伝導性プラスチックにて作られたハードディスク支持ユニット２０に取り付けられるが、接続ケーブルの部分を除く全ての面で、ハードディスクと完全に接触するように取り付けられる。ハードディスク支持ユニット２０は、下部ユニット２１と上部ユニット２２で構成される。下部ユニット２１は板状の熱伝導性プラスチックでつくられる。上部ユニット２２は、熱伝導性プラスチックでつくられる。本体部２３と、本体部２３の両端部に設けられる脚部２４を有し、この脚部２４を利用して、ビス等により下部ユニット２１に固定される。ハードディスク１０の全ての面は、熱伝導性プラスチックと接触するため、ハードディスク１０で発生した熱は、熱伝導性プラスチックに伝えられ外部に放出される。【選択図】      図１
2004326908.tif 000002
【特許請求の範囲】
【請求項１】
ＡＶ信号（ビデオ、オーディオ信号）をデジタル記録し、記録したＡＶ信号を再生する録画再生装置において、ＡＶ信号を記憶するハードディスクと、ハードディスクを収容して筐体に固定する為に熱伝導性プラスチックでつくられるハードディスク支持ユニットを備えることを特徴とする録画再生装置。
【請求項２】
請求項１記載の録画再生装置において、熱伝導性プラスチックでつくられるハードディスク支持ユニットは、板状の下部ユニットと、ハードディスクを収容して下部ユニットに固定される上部ユニットと、上部ユニットに設けられて筐体に固定される取り付けアームを備えることを特徴とする録画用再生装置。
【請求項３】
請求項１又は２記載の録画用再生装置において、熱伝導性プラスチックでつくられるハードディスク支持ユニットは、支持ユニットの外面に設けられる空冷用の放熱ユニットを備えることを特徴とする録画用再生装置。
【請求項４】
請求項１又は２記載の録画用再生装置において、熱伝導性プラスチックでつくられるハードディスク支持ユニットは、支持ユニットの内部に埋め込まれる水冷却用パイプを備えることを特徴とする録画用再生装置。
【請求項５】
請求項２記載の録画再生装置において、取り付け用アームは、衝撃、振動吸収部を備えることを特徴とする録画再生装置。
【発明の詳細な説明】
【０００１】
【発明の属する技術分野】
本発明は、ハードディスクを利用したＡＶ信号の録画・再生装置において、ハードディスクを筐体に固定するための支持機構に関する。
【０００２】
【従来の技術】
ＡＶ信号をデジタル記録し、記録したＡＶ信号を再生するための録画再生装置に関し、従来はハードディスクを固定するために、振動吸収用のダンパを用いて数箇所をビス止めするなどを行い筐体に固定していた。また、温度の上昇を避けるため周囲に空気の流れを確保するための空間を開ける様、構成されていた。
【０００３】
【発明が解決しようとする課題】
従来の技術においては、ハードディスクから発生する振動や外部からの衝撃を吸収するため、通常ゴムなど衝撃・振動吸収用のダンパを用いてハードディスクを固定していた。また、ハードディスクから発生する熱を外部へ逃がすために、周囲に空間を確保する必要があった。このため、ハードディスクの周囲は、その他の部品を配置することが出来ず、機器の小型化を阻害する要因となっていた。また、金属による放熱板を取り付けることが出来ないため、冷却のために空冷ファン等により、ＨＤＤ（ハードディスクドライブ）の周囲に風を送り冷却を行う必要があった。
下記の特許文献１においては、部品に熱伝導性ゴムにより熱を筐体に逃がす機構が開示されているが、熱伝導性ゴムを金属などのバネ性を持ったもので押さえる必要があるため、放熱効果の面でハードディスクのような広い面積を持つ部品には大きな放熱効果は期待できない。
【０００４】
【特許文献１】
特開平５−２４３４３４
【０００５】
【課題を解決するための手段】
本発明の録画再生装置は、記録したＡＶ信号を再生する録画再生装置において、基本的手段として、ＡＶ信号を記憶するハードディスクと、ハードディスクを収容して筐体に固定する為に熱伝導性プラスチックでつくられるハードディスク支持ユニットを備える。
そして、熱伝導性プラスチックでつくられるハードディスク支持ユニットは、板状の下部ユニットと、ハードディスクを収容して下部ユニットに固定される上部ユニットと、上部ユニットに設けられて筐体に固定される取り付けアームを備え、
また、支持ユニットは支持ユニットの外面に設けられる空冷用の放熱ユニットを備え、
さらに、支持ユニットの内部に埋め込まれる水冷却用パイプを備えることもできる録画用再生装置。
【０００６】
【発明の実施の形態】
本発明による録再装置の実施形態の一例を図１〜図３に基づいて以下に説明する。
【０００７】
図１は、録画再生装置における請求項１の一実施形態例である。ハードディスク１０は、熱伝導性プラスチックにて作られたハードディスク支持ユニット２０に取り付けられるが、接続ケーブルの部分を除く全ての面で、ハードディスクと完全に接触するように取り付けられる。ハードディスク支持ユニット２０は、下部ユニット２１と上部ユニット２２で構成される。
【０００８】
下部ユニット２１は板状の熱伝導性プラスチックでつくられる。
上部ユニット２２は、熱伝導性プラスチックでつくられ、本体部２３と、本体部２３の両端部に設けられる脚部２４を有し、この脚部２４を利用して、ビス等により下部ユニット２１に固定される。
【０００９】
上部ユニット２２の外側には、取り付け用アーム２５が設けられる。この取り付け用アーム２５はビス穴２６を有し、ビス等により筐体に固定される。この構造により、ハードディスク１０の全ての面は、熱伝導性プラスチックと接触するため、ハードディスク１０で発生した熱は、熱伝導性プラスチックに伝えられ外部に放出される。
【００１０】
図２は詳細を示す正面図である。
ハードディスク支持ユニットは、筐体５０に取り付ける際、ビス３０等で固定するが、ハードディスクと筐体間は、取り付けアーム２５を介する。このアーム２５は、熱伝導性プラスチックの可塑性を生かして、多様な形状の衝撃・振動吸収部４０を設けることが出来る。
【００１１】
図３に、その形状例を示す。アーム２５の形状は、衝撃や振動を吸収する構造４０とすることにより、上下方向の衝撃・振動Ｓ１、横方向の衝撃・振動Ｓ２、奥行方向の衝撃・振動Ｓ３等の、外部からの衝撃や振動を吸収することが可能である。以上の構造にすることにより、熱伝導性プラスチックを通して、矢印Ｈ１，Ｈ２で示す方向に放熱できると同時に、全面を囲う構造であるためハードディスク１０からの音を遮断することが出来る。更に、アーム２５の衝撃、振動吸収構造４０によって、ハードディスク１０を外部からの衝撃や振動から保護することが可能である。
【００１２】
上記は、構造の一例であるが、熱伝導性プラスチックは金属と異なり、可塑性に優れているため、取り付けや放熱等の条件にあわせて、多様な形状に加工することが出来る。
【００１３】
本発明による録再装置の他の実施形態の一例を図４に基づいて以下に説明する。この例は、発生熱量が大きい場合や、周辺に熱源がある等の理由により、放熱が十分に行えない場合に有効な手段である。
【００１４】
図４において、ハードディスク１０を支持するユニット２０は、板状の下部ユニット２１とハードディスク１０を収容する上部ユニット２２を備え、取り付けアーム２５を介して筐体にとりつけられる構造は、先に説明した実施形態と同様である。
【００１５】
本実施形態にあっては、上部ユニット２２の上面に金属製の放熱ユニット１００を取り付けてある。放熱ユニット１００は上部ユニット２２上に当接する板状の基板１１０に対して垂直方向に立設される放熱フィン１２０を備える。
放熱フィンを備えることにより、外気に接触する表面積が増大し、効果的な空冷機構を構成することができる。
【００１６】
図５は、本発明の更に他の実施形態を示す説明図である。
本実施形態のハードディスク支持ユニット２２０は、板状の下部ユニット２１０と、ハードディスクを収容する上部ユニット２２０を有し、ビス等により固着される。
下部ユニットは、熱伝導性プラスチックでつくられ、内部に金属の冷却用パイプ２１４が埋め込まれる。この冷却用パイプ２１４の両端部には、冷却水の供給パイプ２１２と排出パイプ２１６が接続され、冷却水が流される。
この構造によって、熱伝導性プラスチックの熱は、冷却水によって、効果的に排熱される。
【００１７】
上部ユニット２２０にも、同様に金属の冷却用パイプ２２４が埋め込まれる。冷却用パイプ２２４の両端部には、冷却水の供給パイプ２２２と排出パイプ２２６が接続され、冷却水が流される。
【００１８】
水冷用のユニットの場合、冷却水の代わりに温水を通すことも可能である。ハードディスクは、動作温度範囲が狭く、低温での使用の場合、上記冷却用パイプ２１４，２２４に温水を流すことにより、ハードディスク１０を暖め、動作保障温度を確保できる。したがって、冷却水の温度を、ハードディスク１０の保障温度内の温度に保つことにより、外部が低温のときでもハードディスク１０が保温されるので、ハードディスク１０の保障温度により制限されていた録画再生システムの動作温度範囲を大幅に広げることが出来る。
【００１９】
【発明の効果】
上記にて説明された本発明により以下の効果がもたらされる。
本発明の録画再生装置におけるハードディスク取り付け機構は、上述したような構成としているので、録画再生装置のハードディスクの温度上昇を抑え、騒音の抑止、及び、外部からの衝撃、振動を吸収しハードディスクを保護することを同時に行うことができる。
また、本発明で録画再生装置におけるハードディスク取り付け機構は、ハードディスクが配置される状況に応じて、効果的な放熱を行うことが出来る。さらに、水冷システムと組み合わせることにより、更に自由度の高い冷却を行うことが出来る一方で、冷却水を適温にすることで、録画再生装置の動作温度範囲を大幅に広げることが可能となる。
【図面の簡単な説明】
【図１】本発明の実施形態を示す説明図。
【図２】ハードディス支持ユニットの詳細図
【図３】衝撃、振動吸収機構の一例
【図４】本発明のほかの実施形態を示す説明図
【図５】本発明の更に他の実施例を示す説明図
【符号の説明】
１０  ハードディスク
２０  ハードディスク支持ユニット
２１  上部ユニット
２２  下部ユニット
【図１】
2004326908.tif 000003
【図２】
2004326908.tif 000004
【図３】
2004326908.tif 000005
【図４】
2004326908.tif 000006
【図５】
2004326908.tif 000007